(57)【要約】      （修正有）【課題】太陽電池パネルをビルの屋上又は地上に設置する為に、台風などによる強風への対策がされ、尚且つ経済的な太陽電池パネル支持構造を提供する。【解決手段】底部と、支持部と、底部と支持部の取付部と、支持部と太陽電池パネルの取付部とを有する太陽電池パネル支持構造を提供する。前記太陽電池パネル支持構造は、重力方向の支持材のみで横材やアングルフレームなどの支持材を使う事無く設置する事が出来る。又、台風などの強風による太陽電池パネルへの吹き上げ回転モーメント及び浮力を軽減するので、太陽電池パネルをコンクリート基礎又は杭等を使用する事なく、ビルの屋上又は地上に複数設置する事が出来る。【選択図】図６
2012054443.tif 000002
【特許請求の範囲】
【請求項１】
太陽電池パネルの支持構造であって底部と、
支持部と、
底部と支持部の取付部と、
支持部と太陽電池パネルの取付部とを有する事を特徴とする太陽電池パネル支持構造。
【請求項２】
前記底部と、
前記支持部と、
前記底部と支持部の取付部とを鉄製又はアルミ製、ステンレス製とする請求項１の太陽電池パネル支持構造。
【請求項３】
前記底部と、
前記支持部と、
前記底部と支持部の取付部とを鉄筋コンクリート製とする請求項１又は２の太陽電池パネル支持構造。
【請求項４】
前記支持部の長さを可変とする事で太陽電池パネルを所定の傾斜角にする請求項１〜３いずれかの太陽電池パネル支持構造。
【請求項５】
前記支持部を風の受ける面積が少ない支持材とする請求項１〜４いずれかの太陽電池パネル支持構造。
【請求項６】
前記底部を連結する請求項１〜５いずれかの太陽電池パネル支持構造。
【請求項７】
前記連結部の継目部を防水手段で処理する請求項１〜６いずれかの太陽電池パネル支持構造。
【請求項８】
前記防水手段をシーリング材とする請求項１〜７いずれかの太陽電池パネル支持構造。
【請求項９】
請求項１〜８のいずれかに記載の太陽電池パネル支持構造に支持した複数の前記太陽電池パネルと、前記太陽電池パネルから得られる直流を交流に変換するＤＣ／ＡＣ変換装置とを備えた太陽光発電システム。
【発明の詳細な説明】
【技術分野】
【０００１】
本発明は、太陽電池パネルをビルの屋上又は地上に設置する為に、台風などによる強風への対策がされた太陽電池パネル支持構造に関するものである。
【背景技術】
【０００２】
ビルの屋上又は地上に太陽電池パネルを設置する場合、台風などの強風による太陽電池パネルへの吹き上げ回転モーメント及び浮力防止の為に、重いコンクリート基礎又は杭等で太陽電池パネル支持構造の固定が必要となっている。
【０００３】
太陽電池パネルを設置するために、ベース材、横材、アーム、アングルフレームといった長さや形状が異なる鋼材を多数準備する必要があり、その上、太陽電池パネルに作用する風荷重に耐える構造にするために、斜材，筋交いや断面量の増加等により部材量が増え、鋼材の使用量を増加させねばならなかった。
【先行技術文献】
【特許文献】
【０００４】
【特許文献１】特開平０８−２７４３６４号公報
【特許文献２】特開２００７−０３５８４９号公報
【発明の概要】
【発明が解決しようとする課題】
【０００５】
太陽電池パネルは強風を受けることにより、吹き上げ回転モーメント及び浮力が働く。
従って、太陽電池パネルをビルの屋上又は地上に複数設置するには、強風による風荷重に耐えるように強固で重いコンクリート基礎又は杭に太陽電池パネル支持構造の固定が必要となる。
本発明は、この課題を、連結する底部と、長さが可変し風の受ける面積が少ない支持部と、底部と支持部の取付部と、支持部と太陽電池パネルの取付部とを設置し、強風による太陽電池パネルへの吹き上げ回転モーメント及び浮力を軽減することにより解決する太陽電池パネル支持構造を提供することにある。
【課題を解決するための手段】
【０００６】
本目的を達成する為の太陽電池パネル支持構造は、底部と、
支持部と、
底部と支持部の取付部と、
支持部と太陽電池パネルの取付部とを有する事を特徴とするものである。
【０００７】
また、前記底部と、
前記支持部と、
前記底部と支持部の取付部とを鉄製又はアルミ製、ステンレス製とする事を特徴とする太陽電池パネル支持構造である。
【０００８】
また、前記底部と、
前記支持部と、
前記底部と支持部の取付部とを鉄筋コンクリート製とする事を特徴とする太陽電池パネル支持構造である。
【０００９】
また、前記支持部の長さを可変とする事で太陽電池パネルを所定の傾斜角にする事を特徴とする太陽電池パネル支持構造である。
【００１０】
また、前記支持部を風の受ける面積が少ない支持材とする事を特徴とする太陽電池パネル支持構造である。
【００１１】
また、前記底部を連結する事を特徴とする太陽電池パネル支持構造である。
【００１２】
また、前記連結部の継目部を防水手段で処理する事を特徴とする太陽電池パネル支持構造である。
【００１３】
また、前記防水手段をシーリング材とすることを特徴とする太陽電池パネル支持構造である。
【００１４】
また、太陽電池パネル支持構造に支持した複数の前記太陽電池パネルと、前記太陽電池パネルから得られる直流を交流に変換するＤＣ／ＡＣ変換装置とを備えた太陽電池パネル支持構造を有する太陽光発電システムである。
【発明の効果】
【００１５】
以上説明したように、本発明に係る太陽電池パネル支持構造によれば、支持部を風の受ける面積が少ない支持材を使用し、尚且つ長さを可変してパネルを底部から十分離すことでパネル裏面の通風を改善し、強風による太陽電池パネルの浮力を軽減する。
又、底部を連結して配置する事により強風による太陽電池パネルの吹き上げ回転モーメントに対応する事ができる。風の進行方向に太陽電池パネルを2枚設置で１/２に、3枚設置で１/３へと吹き上げ回転モーメントは軽減される。
さらに底部に土砂、コンクリートブロック等の重量物を載せる事により一層効果的となる。
風圧はベルヌーイの法則により計算が出来る。
F＝1/2ρv二乗Aで表される。
ρ   空気の密度    1.２kg/立方メートル
v    風速             m/sec
A    風を受ける面積   平方メートル
よって1平方メートルにかかる風圧は風速60mとすると
F＝1/2×1.２×1×60×60＝2160kg・m
重力に換算すると1G＝9.８N
で220kgG/平方メートルである。
浮力はパネル裏面とパネル表面の速度差であるので鉄製又はアルミ製、ステンレス製及び鉄筋コンクリート製の支持部のない部分では発生しない。
底部と、支持部と、底部と支持部の取付部が鉄製又はアルミ製、ステンレス製の場合の浮力。
長さ1.４m幅0.８mのパネル１枚当り５cm幅の支持材を２本使用時、パネル長さ1.４m当り0.0７mパネル裏面の風を通さないことになる。
よって浮力は
0.0７÷1.４＝0.0５である。
パネル全体の浮力は
220kg×0.0５＝11 kgである。
パネル1枚の面積は約1.１平方メートルであるので
11×1.１＝12.１kg Gである。
パネルの自重は22 kgである。
12.１ kg G＜22 kg
となり、パネルは飛ばない事になる。
次に底部と、支持部と、底部と支持部の取付部が鉄筋コンクリート製の場合の浮力。
パネル１枚当り、1.１個のコンクリートU字溝を使用するので、パネル長さ1.４m当り0.６m風を通さないことになる。
よって浮力は
0.６÷1.４＝0.４２８である。
パネル全体の浮力は
220kg×0.４２８＝94.１kgである。
パネル1枚の面積は約1.１平方メートルであるので
94.１×1.１＝103.５１ kg Gである。
パネルの自重           22 kg
コンクリートU字溝    60 kg
＝82 kgであるので
103.５１ kg−82 kg＝21.５１kg不足
よって、コンクリートU字溝の底部に19 cm×19 cm×39cmのコンクリートブロック重さ17 kgを2個載せると
103.５１kg＜82 kg ＋17 kg ×2個＝116 kg 
となり、飛ばない事になる。
【発明を実施するための形態】
【００１６】
以下に、この発明における実施の形態を図面を参照して説明する。
【００１７】
図１において、底部に鉄板４aを用い、４aと支持部の等辺山形鋼９を底部と支持部の取付部７で固定する。９の上部にL形金具１５を取付けて支持部と太陽電池パネルの取付部５とする。
支持部の９の長さ６a、６bを可変する事で太陽電池パネルを所定の傾斜角にする事が出来る。
【００１８】
図２において、底部に鉄板４aを用い、支持部には風の受ける面積が少ない支持材としてボルト３を用いる。４aと３を底部と支持部の取付部７で固定する。３の上部にナット１０、
ワッシャー１２を取付けて支持部と太陽電池パネルの取付部５とする。
支持部の３の長さ６a、６bを可変する事で太陽電池パネルを所定の傾斜角にする事が出来る。
【００１９】
図３において、1枚の底部の鉄板4eに太陽電池パネルが設置することができるように、４eに支持部の等辺山形鋼９と、底部と支持部の取付部７と、支持部と太陽電池パネル取付部５とを設置する。
４eを連結させ、連結した継目の連結部３２に防水手段のシーリング材１８を塗布することにより複数の連結された４e全体が防水機能の働きをする。又、底部を連結することで横材やアングルフレームなどの鋼材を使う事無く、複数の太陽電池パネルを設置することが出来る。
【００２０】
図４において、底部４aと４c、４bと４cを連結させる。連結された箇所は連結部３２となる。４aとボルト３及び４bと３を底部と支持部の取付部７で固定し、３と太陽電池パネルフレーム２を支持部と太陽電池パネルの取付部５で固定する。
３の長さ６a及び６bの長さを可変することで太陽電池パネル１を所定の傾斜角にすることが出来る。又、３は風の受ける面積が少なく、長さを長くすることで１を底部から十分離すことが出来るので、１の裏面の通風を改善し、強風による１の浮力を軽減する。
４cの上にコンクリートブロック３３を載せることにより、強風による１の吹き上げ回転モーメントに対応する事ができる。
【００２１】
図５において、太陽電池パネル支持構造の底部全体に土砂３４を載せることにより、強風による太陽電池パネル１の吹き上げ回転モーメントに対応する事ができる。
【００２２】
図６において、ボルト３と手すり１９に溝形鋼８を用いて溶接部１４にて固定する。次に底部の鉄板４aと４b、４aと４d、４bと４d、4dと4dを連結する。連結した箇所は連結部３２となる。３と１９を固定し、尚且つ底部を連結するで、強風による太陽電池パネル１への吹き上げ回転モーメントを軽減することが出来る。
【００２３】
図７において、太陽電池パネル１に設置された端子箱２１に電力ケーブル２４を介し、手すり１９に取付けた１から得られる直流を交流に変換するＤＣ／ＡＣ変換装置２２に接続することで太陽光発電システムを構成する。
【００２４】
図８において、底部の鉄板４と支持部の等辺山形鋼９は溶接部１４で固定されており、L形金具１５は、９に１４にて固定された構造となっている。４、９、１５は、１４で一体物になっており、現場での太陽電池パネル取付けが容易な構造になっている。９の長さを可変する事で、太陽電池パネルを所定の傾斜角にすることが出来る。又テーパー座金１３は、傾斜になっている太陽電池パネルを取付ける為の金具である。
【００２５】
図９において、底部の鉄板４に穴を開けワッシャー１２、スプリングワッシャー１１、ナット１０をボルト３に取付け、４の貫通部に３を挿入し、角ナット２０、１２、１０を用いて上下で３を固定する構造である。３の上部に、１０、１２、テーパー座金１３を取付ける。３の長さを可変する事で、太陽電池パネルを所定の傾斜角にすることが出来る。又、１３は傾斜になっている太陽電池パネルを取付ける為の金具である。
【００２６】
図１０において、ボルト３に、ナット１０、ワッシャー１２、テーパー座金１３を取付け、角度のある１３の上に太陽電池パネルフレーム２を乗せ、同じ傾斜角の１３で２を上下で挟み、１２、スプリングワッシャー１１、１０を用いて、固定する構造になっている。
１３を用いることにより２を傾斜にする事が出来るので、３を垂直のまま固定出来る構造になっている。
【００２７】
図１１の太陽電池パネル支持構造は、架台２３ａ、２３ｂ、２３ｃの３台と、太陽電池パネル１ａ、１ｂ、１ｃ、１ｄの４枚と太陽電池パネルの外周に設けた太陽電池パネルフレーム２ａ、２ｂ、２ｃ、２ｄと、太陽電池パネル取付け部３１ａ、３１ｂ、３１ｃ、３１ｄ、３１ｅ、３１ｆ、３１ｇ、３１ｈ、３１ｉから構成されている。
３１ａに、１ａの外周に設けた２ａの孔２５ｂ、１ｃの外周に設けた２ｃの孔２５ｉ、31ｂに２ａの孔２５ｃ、２ｃの孔２５ｋ、２ｂの孔２５ｅ、２ｄの孔２５ｎ、３１ｃに２ｂの孔２５ｇ、２ｄの孔２５ｏ、３１ｄに２ｃの孔２５ｊ、３１ｅに２ｃの孔２５l、２ｄの孔２５ｍ、３１ｆに２ｄの孔２５ｐ、３１ｇに２ａの孔２５ａ、３１ｈに２ａの孔２５ｄ、２ｂの孔２５ｆ、３１ｉに２ｂの孔２５ｈを取付けることで、４枚の太陽電池パネルを設置している。
２３ａに取付けてある、３１ａの孔を１ａの２ａの２５ｂに合わせ、３１ｂの孔を１ａの２ａの２５ｃに合わせ２３ｃに１ａを橋渡しをし、３１ｇの孔を１ａの２ａの２５ａに合わせ、３１ｈの孔を１ａの２ａの２５ｄに合わせ、２３ａ、２３ｃの間隔を空けることにより、１ａ、１ｂ、１ｃ、１ｄの裏面の通風を改善し、強風による１ａ、１ｂの浮力が軽減される。
１ａ、１ｂ、１ｃ、１ｄに設置される端子箱２１ａ、２１ｂ、２１ｃ、２１ｄに電力ケーブル２４ａ、２４ｂ、２４ｃ、２４ｄ、２４ｅを介し、１ａ、１ｂ、１ｃ、１ｄから得られる直流を交流に変換するＤＣ／ＡＣ変換装置２２に接続することで太陽光発電システムを構成する。太陽電池パネルの大きさが違う場合でも、架台の設置間隔を拡げたり、狭めることや、架台の大きさを変えることにより、様々な大きさの太陽電池パネルの設置ができる。
【００２８】
図１２において、架台の詳細を示したものである。架台２３ａは、底部２６ａ、２６ｂを水平にして基礎機能を有し、２７ａと２７ｂと２７ｃの高さを違えることで、傾斜角度を調整し、太陽子電池パネルを傾斜させる。この図では、地面の水平面に対して２０度で傾斜させている。水平線と太陽のなす角度は、通年で変化しているため、年間の総発電量が最大となるように太陽電池パネルを設置する場合、１０〜３５度の範囲で傾斜させることが多い。
【００２９】
図１３において、架台２３ａに太陽光パネル取付け部３１ｂを固定し太陽光パネル１ａと１ｂを取付けた状態を示したものである。
３１ｂは、金属製の取付け部を利用している。３１ｂの角度２９ａを変えることで、太陽電池パネル傾斜角を変えることができる。
３１ｂと２３ａは、３１ｂの孔２８ａと、２３ａに形成した孔を一致させて、取付けボルト１７bを３１ｂの孔２８ａと２３ａに形成した孔に挿入して固定している。締め付けを強固にするためにスプリングワッシャー１１、ワッシャー１２を介在させている。
１aの外周に設けた太陽電池パネルフレーム２ａと３１ｂは、２ａの孔２５ｃと太陽電池パネル取付け部３１ｂの孔２８ｂを一致させて、１７bを太陽電池パネルフレーム２ａの孔２５ｃと３１ｂの孔２８ｂに挿入してナット１０で固定させている。締め付けを強固にするため１７bと２ａとの間には、１２を介在させている。また、３１ｂの孔２８ｂと１０の間には１１、１２を介在させている。
１ｂの外周に設けた２ｂと３１ｂは、２ｂの２５ｅと３１ｂの２８ｃを一致させて、１７bを２ｂの２５eと３１ｂの２８ｃに挿入して１０で固定させている。締め付けを強固にするため１７bと２ｂとの間には、１２を介在させている。また、３１ｂと１０の間には１１、１２を介在させている。
【００３０】
図１４において、太陽電池パネル取付け部３１ｂを真上から見た図である。架台へ固定するための孔２８ａと、太陽電池パネルの外周に設けられた太陽電池パネルフレームへ固定する孔２８ｂ、孔２８ｃがある。
【００３１】
図１５において、太陽電池パネル取付け部３１ｂを正面から見た図である。架台２３ａへ固定するための孔２８ａと、太陽電池パネルの外周に設けられた太陽電池パネルフレームへ固定する孔２８ｂ、孔２８ｃがある。２３ａに３１ｂを取付ける場合は、３１ｂの孔２８ａと、２３ａに形成した孔を一致させて、取付けボルト１７aを３１ｂの孔２８ａと２３ａに形成した孔に挿入して固定させる。締め付けを強固にするためにスプリングワッシャー１１、ワッシャー１２を介在させている。
【００３２】
図１６において、架台２３ａに太陽光パネル取付け部３１ｃを固定し太陽光パネル１ｂを取付けた状態を示したものである。
３１ｃの角度２９ｂを変えることで、１ｂの傾斜角を変えることができる。
３１ｃと２３ａは、３１ｃの孔２８ｄと、２３ａに形成した孔を一致させて、取付けボルト１７bを３１ｃの孔２８ｄと２３ａに形成した孔に挿入して固定している。締め付けを強固にするためにスプリングワッシャー１１、ワッシャー１２を介在させている。
１ｂの外周に設けた太陽電池パネルフレーム２ｂと３１ｃは、２ｂの孔２５ｇと３１ｃの孔２８ｅを一致させて、１７bを２ｂの孔２５ｇと３１ｃの孔２８ｅに挿入してナット１０で固定させている。締め付けを強固にするため３ｂと２ｂとの間には１２を介在させている、また３１ｃと１０の間には１１、１２を介在させている。
【００３３】
図１７において、太陽電池パネル取付け部３１ｃを真上から見た図である。架台へ固定するための孔２８ｄと、太陽電池パネルの外周に設けられた、太陽電池パネルフレームへ固定する２８ｅから形成されている。
【００３４】
図１８において、太陽電池パネル取付け部３１ｃを正面から見た図である。架台２３ａへ固定するための孔２８ｄと、太陽電池パネルの外周に設けられた、太陽電池パネルフレームへ固定する２８ｅから形成されている。２３ａに３１ｃを取付ける場合は、３１ｃの孔２８ｄと、２３ａに形成した孔を一致させて、取付けボルト１７bを３１ｃの孔２８ｄと２３ａに形成した孔に挿入して固定させる。締め付けを強固にするためにスプリングワッシャー１１、ワッシャー１２を介在させている。
【００３５】
図１９において、架台２３に太陽光パネル取付け部を取付けるためのアンカーボルト３０を設置している図である。
アンカーボルトの抜け防止のためにアンカーボルトの先を曲げ架台の中に設置する。
架台と太陽光パネル取付け部を取付けるためのボルトは、図のようにアンカーボルトを架台を作成する時に架台にあらかじめ設置する方法や、架台に孔を開けてボルトを挿入する方法がある。
【００３６】
図２０において、架台を空隙なく連結させた図１１の変形例で、架台２３と、太陽電池パネル１と太陽電池パネルフレーム２と、太陽電池パネル取付け部３１から構成されている。
【００３７】
図２１において、既製コンクリートＵ字構の規格を利用した図１１の変形例で、架台２３ａ、２３ｂと、太陽電池パネル１ａと太陽電池パネルフレーム２ａと、太陽電池パネル取付け部３１ａ〜３１ｄから構成されている。
２３ａに取付けてある、３１ａの孔を１ａの２ａの太陽電池パネルフレームの孔２５ａに合わせ、３１ｂの孔を１ａの２ａの２５ｂに合わせ、２３ｂに１ａを橋渡しをし、３１ｃの孔を１ａの２ａの２５ｃに合わせ、３１ｄの孔を１ａの２ａの２５ｄに合わせ、既製コンクリートＵ字構規格に加工したものを使用することにより部材が少なく、設置費用も安価に抑えることが出来る。
太陽電池パネルの大きさが違う場合でも、架台の間隔を拡げたり、狭めることや、太陽電池パネルフレームの孔と太陽電池パネル取付け部の留め位置をずらすことで様々な大きさの太陽電池パネルの設置ができる。
【図面の簡単な説明】
【００３８】
【図１】底部と、支持部と、底部と支持部の取付部と、支持部と太陽電池パネルの取付部の概略図である。
【図２】底部と、風の受ける面積が少ない支持材を使用した支持部と、底部と支持部の取付部と、支持部と太陽電池パネルの取付部の概略図である。
【図３】底部を連結し、連結した継目を防水手段で処理した場合の詳細図である。
【図４】底部と、支持部と、底部と支持部の取付部とを鉄製とする太陽電池パネル支持構造の底部にコンクリートブロックを載せた図である。
【図５】図４の底部に土砂を載せた図である。
【図６】複数の太陽電池パネル支持構造の底部を連結し、手すりに溶接して固定した場合の概略図である。
【図７】複数の太陽電池パネル支持構造の底部を連結し、太陽電池パネルから得られる直流を交流に変換するDC／AC変換装置を備えた太陽光発電システムの概略図である。
【図８】底部と、等辺山形鋼の支持部と、底部と支持部の取付部と、支持部と太陽電池パネルの取付部を真横から見た詳細図である。
【図９】底部と、ボルトの支持部と、底部と支持部の取付部と、支持部と太陽電池パネルの取付部を真横から見た詳細図である。
【図１０】ボルトの支持部と、支持部と太陽電池パネルの取付部の詳細図である。
【図１１】底部と、支持部と、底部と支持部の取付部とを鉄筋コンクリート製とする太陽電池パネル支持構造の概略図である。
【図１２】架台の詳細図である。
【図１３】太陽電池パネルを架台に複数取付けるための太陽電池パネル取付け部の詳細図である。
【図１４】太陽電池パネルを架台に複数取付けるための太陽電池パネル取付け部を真上から見た図である。
【図１５】太陽電池パネルを架台に複数取付けるための太陽電池パネル取付け部を正面から見た図である。
【図１６】太陽電池パネルを架台に取付けるための太陽電池パネル取付部の詳細図である。
【図１７】太陽電池パネルを架台に取付けるための太陽電池パネル取付け部を真上から見た図である。
【図１８】太陽電池パネルを架台に取付けるための太陽電池パネル取付け部を正面から見た図である。
【図１９】架台に太陽電池パネル取付け部を固定するにアンカーボルトを設置した図である。
【図２０】図１１の架台を空隙なく設置させた、太陽電池パネル支持構造の概略図である。
【図２１】図１１の架台をＵ字構の規格を利用した架台とする太陽電池パネル支持構造の概略図である。
【符号の説明】
【００３９】
１・１a〜１d        太陽電池パネル
２・２a〜２d        太陽電池パネルフレーム
３・３a・３b        ボルト
４・４a〜４e        鉄板
５                  支持部と太陽電池パネルの取付部
６ａ〜６ｂ          支持部の長さ
７                  底部と支持部の取付部
８                  溝形鋼
９                  等辺山形鋼
１０                ナット
１１                スプリングワッシャー
１２                ワッシャー
１３                テーパー座金
１４                溶接部
１５                L形金具
１６                L形支持柱固定箇所
１７a・１７b        取付けボルト
１８                シーリング材
１９                手すり
２０                角ナット
２１                端子箱
２２                DC／AC変換装置
２３・２３a〜２３c  架台
２４・２４a〜２４e  電力ケーブル
２５a〜２５p        太陽電池パネルフレームの孔
２６a〜２６d        架台底部
２７a〜２７c        架台高さ
２８a〜２８e        太陽電池パネル取付部の孔
２９a〜２９b        太陽電池パネル取付部の角度
３０                アンカーボルト
３１・３１a〜３１i  太陽電池パネル取付部
３２                連結部
３３                コンクリートブロック
３４                土砂
【図１】
2012054443.tif 000003
【図２】
2012054443.tif 000004
【図３】
2012054443.tif 000005
【図４】
2012054443.tif 000006
【図５】
2012054443.tif 000007
【図６】
2012054443.tif 000008
【図７】
2012054443.tif 000009
【図８】
2012054443.tif 000010
【図９】
2012054443.tif 000011
【図１０】
2012054443.tif 000012
【図１１】
2012054443.tif 000013
【図１２】
2012054443.tif 000014
【図１３】
2012054443.tif 000015
【図１４】
2012054443.tif 000016
【図１５】
2012054443.tif 000017
【図１６】
2012054443.tif 000018
【図１７】
2012054443.tif 000019
【図１８】
2012054443.tif 000020
【図１９】
2012054443.tif 000021
【図２０】
2012054443.tif 000022
【図２１】
2012054443.tif 000023